(57)【特許請求の範囲】
【請求項１】
筐体と、
前記筐体に設置されて、ボリウムレベル設定値を入力するための入力部と、
前記筐体に格納されて、音声信号を増幅するための増幅器と、
前記入力部から入力される前記ボリウムレベル設定値に基づいて、前記増幅器の増幅率を、人間の聴感音量の変化に対応する増幅率となるように設定する制御部と、
前記制御部により設定された増幅率で前記増幅器が増幅した前記音声信号を出力するための出力部と、
使用者が現在の音声のボリウムレベル設定値を認識することができるように前記ボリウムレベル設定値を表示する表示部と
を具備し、
前記ボリウムレベル設定値は連続した離散値として設定され、
前記制御部は、
隣接する前記ボリウムレベル設定値それぞれに対応する前記増幅器の増幅率の差が、前記ボリウムレベル設定値の値が所定の値以下においては、前記ボリウムレベル設定値の増加方向に増加するように設定し、前記ボリウムレベル設定値の値が前記所定の値よりも大きい設定領域においては、特定の値になるように設定し、
前記入力部からの指示として入力されるアンプゲインに対応する前記ボリウムレベル設定値に基づいて前記増幅器の増幅率を設定し、
周囲の騒音環境に基づいて、ボリウムレベルに拠らず一律の音量だけ増減し、
前記ボリウムレベル設定値それぞれに対応する音圧値を、従来のボリウムレベル設定値それぞれに対して一定差で設定されていた音圧値よりも小さく設定し、消費電力の低減を実現する
携帯端末装置。
【請求項２】
筐体と、
前記筐体に設置されて、ボリウムレベル設定値を入力するための入力部と、
前記筐体に格納されて、音声信号を増幅するための増幅器と、
前記入力部から入力される前記ボリウムレベル設定値に基づいて、前記増幅器の増幅率を、人間の聴感音量の変化に対応する増幅率となるように設定する制御部と、
前記制御部により設定された増幅率で前記増幅器が増幅した前記音声信号を出力するための出力部と
を具備し、
前記ボリウムレベル設定値は連続した離散値として設定され、
前記制御部は、隣接する前記ボリウムレベル設定値それぞれに対応する前記増幅器の増幅率の差が、前記ボリウムレベル設定値の値が所定の値以下においては、第一特定値になるように設定し、前記ボリウムレベル設定値の値が前記所定の値よりも大きい設定領域においては、前記第一特定値よりも大きい第二特定値に設定し、
前記入力部からの指示として入力されるアンプゲインに対応する前記ボリウムレベル設定値に基づいて前記増幅器の増幅率を設定し、
周囲の騒音環境に基づいて、ボリウムレベルに拠らず一律の音量だけ増減し、
前記ボリウムレベル設定値それぞれに対応する音圧値を、従来のボリウムレベル設定値それぞれに対して一定差で設定されていた音圧値よりも小さく設定し、消費電力の低減を実現する
携帯端末装置。
【請求項３】
筐体と、
前記筐体に設置されて、ボリウムレベル設定値を入力するための入力部と、
前記筐体に格納されて、音声信号を増幅するための増幅器と、
前記入力部から入力される前記ボリウムレベル設定値に基づいて、前記増幅器の増幅率を、人間の聴感音量の変化に対応する増幅率となるように設定する制御部と、
前記制御部により設定された増幅率で前記増幅器が増幅した前記音声信号を出力するための出力部と
を具備し、
前記ボリウムレベル設定値は連続した離散値として設定され、
前記制御部は、隣接する前記ボリウムレベル設定値それぞれに対応する前記増幅器の増幅率の差が、前記ボリウムレベル設定値の値が所定の値以下においては、特定の値になるように設定し、前記ボリウムレベル設定値の値が前記所定の値よりも大きい設定領域においては、前記ボリウムレベル設定値の増加方向に増加するように設定し、
前記入力部からの指示として入力されるアンプゲインに対応する前記ボリウムレベル設定値に基づいて前記増幅器の増幅率を設定し、
周囲の騒音環境に基づいて、ボリウムレベルに拠らず一律の音量だけ増減し、
前記ボリウムレベル設定値それぞれに対応する音圧値を、従来のボリウムレベル設定値それぞれに対して一定差で設定されていた音圧値よりも小さく設定し、消費電力の低減を実現する
携帯端末装置。
【請求項４】
筐体と、
前記筐体に設置されて、ボリウムレベル設定値を入力するための入力部と、
前記筐体に格納されて、音声信号を増幅するための増幅器と、
前記入力部から入力される前記ボリウムレベル設定値に基づいて、前記増幅器の増幅率を、人間の聴感音量の変化に対応する増幅率となるように設定する制御部と、
前記制御部により設定された増幅率で前記増幅器が増幅した前記音声信号を出力するための出力部と
を具備し、
前記制御部は、前記入力部からの指示に基づいて、隣接する前記ボリウムレベル設定値それぞれに対応する前記増幅器の増幅率の差が、前記ボリウムレベル設定値の値が所定の値以下においては、前記ボリウムレベル設定値の増加方向に増加するように設定し、前記ボリウムレベル設定値の値が前記所定の値よりも大きい設定領域においては、特定の値になるように設定する設定１と、隣接する前記ボリウムレベル設定値それぞれに対応する前記増幅器の増幅率の差が、前記ボリウムレベル設定値の値が所定の値以下においては、第一特定値になるように設定し、前記ボリウムレベル設定値の値が前記所定の値よりも大きい設定領域においては、前記第一特定値よりも大きい第二特定値に設定する設定２と、隣接する前記ボリウムレベル設定値それぞれに対応する前記増幅器の増幅率の差が、前記ボリウムレベル設定値の値が所定の値以下においては、特定の値になるように設定し、前記ボリウムレベル設定値の値が前記所定の値よりも大きい設定領域においては、前記ボリウムレベル設定値の増加方向に増加するように設定する設定３とのうち、いずれか１つの設定を選択して行い、
前記入力部からの指示として入力されるアンプゲインに対応する前記ボリウムレベル設定値に基づいて前記増幅器の増幅率を設定し、
周囲の騒音環境に基づいて、ボリウムレベルに拠らず一律の音量だけ増減し、
前記ボリウムレベル設定値それぞれに対応する音圧値を、従来のボリウムレベル設定値それぞれに対して一定差で設定されていた音圧値よりも小さく設定し、消費電力の低減を実現する
携帯端末装置。
【請求項５】
ボリウムレベル設定値を入力する入力ステップと、
前記入力ステップにより入力される前記ボリウムレベル設定値に基づいて、増幅器の増幅率を、人間の聴感音量の変化に対応する増幅率となるように設定する制御ステップと、
使用者が現在の音声のボリウムレベル設定値を認識することができるように前記ボリウムレベル設定値を表示する表示ステップと
を具備し、
前記ボリウムレベル設定値は連続した離散値として設定され、
前記制御ステップは、
隣接する前記ボリウムレベル設定値それぞれに対応する前記増幅器の増幅率の差が、前記ボリウムレベル設定値の値が所定の値以下においては、前記ボリウムレベル設定値の増加方向に増加するように設定し、前記ボリウムレベル設定値の値が前記所定の値よりも大きい設定領域においては、特定の値になるように設定し、
前記入力ステップにより入力されるアンプゲインに対応する前記ボリウムレベル設定値に基づいて前記増幅器の増幅率を設定し、
周囲の騒音環境に基づいて、ボリウムレベルに拠らず一律の音量だけ増減し、
前記ボリウムレベル設定値それぞれに対応する音圧値を、従来のボリウムレベル設定値それぞれに対して一定差で設定されていた音圧値よりも小さく設定し、消費電力の低減を実現する
携帯端末装置の音量設定方法。
【請求項６】
ボリウムレベル設定値を入力する入力ステップと、
前記入力ステップにより入力される前記ボリウムレベル設定値に基づいて、増幅器の増幅率を、人間の聴感音量の変化に対応する増幅率となるように設定する制御ステップと
を具備し、
前記ボリウムレベル設定値は連続した離散値として設定され、
前記制御ステップは、隣接する前記ボリウムレベル設定値それぞれに対応する前記増幅器の増幅率の差が、前記ボリウムレベル設定値の値が所定の値以下においては、第一特定値になるように設定し、前記ボリウムレベル設定値の値が前記所定の値よりも大きい設定領域においては、前記第一特定値よりも大きい第二特定値に設定し、
前記入力ステップにより入力されるアンプゲインに対応する前記ボリウムレベル設定値に基づいて前記増幅器の増幅率を設定し、
周囲の騒音環境に基づいて、ボリウムレベルに拠らず一律の音量だけ増減し、
前記ボリウムレベル設定値それぞれに対応する音圧値を、従来のボリウムレベル設定値それぞれに対して一定差で設定されていた音圧値よりも小さく設定し、消費電力の低減を実現する
携帯端末装置の音量設定方法。
【請求項７】
ボリウムレベル設定値を入力する入力ステップと、
前記入力ステップにより入力される前記ボリウムレベル設定値に基づいて、増幅器の増幅率を、人間の聴感音量の変化に対応する増幅率となるように設定する制御ステップと
を具備し、
前記ボリウムレベル設定値は連続した離散値として設定され、
前記制御ステップは、隣接する前記ボリウムレベル設定値それぞれに対応する前記増幅器の増幅率の差が、前記ボリウムレベル設定値の値が所定の値以下においては、特定の値になるように設定し、前記ボリウムレベル設定値の値が前記所定の値よりも大きい設定領域においては、前記ボリウムレベル設定値の増加方向に増加するように設定し、
前記入力ステップにより入力されるアンプゲインに対応する前記ボリウムレベル設定値に基づいて前記増幅器の増幅率を設定し、
周囲の騒音環境に基づいて、ボリウムレベルに拠らず一律の音量だけ増減し、
前記ボリウムレベル設定値それぞれに対応する音圧値を、従来のボリウムレベル設定値それぞれに対して一定差で設定されていた音圧値よりも小さく設定し、消費電力の低減を実現する
携帯端末装置の音量設定方法。
【請求項８】
ボリウムレベル設定値を入力する入力ステップと、
前記入力ステップにより入力される前記ボリウムレベル設定値に基づいて、増幅器の増幅率を、人間の聴感音量の変化に対応する増幅率となるように設定する制御ステップと
を具備し、
前記制御ステップは、前記入力ステップにより入力される音量設定選択値に基づいて、隣接する前記ボリウムレベル設定値それぞれに対応する前記増幅器の増幅率の差が、前記ボリウムレベル設定値の値が所定の値以下においては、前記ボリウムレベル設定値の増加方向に増加するように設定し、前記ボリウムレベル設定値の値が前記所定の値よりも大きい設定領域においては、特定の値になるように設定する設定１と、隣接する前記ボリウムレベル設定値それぞれに対応する前記増幅器の増幅率の差が、前記ボリウムレベル設定値の値が所定の値以下においては、第一特定値になるように設定し、前記ボリウムレベル設定値の値が前記所定の値よりも大きい設定領域においては、前記第一特定値よりも大きい第二特定値に設定する設定２と、隣接する前記ボリウムレベル設定値それぞれに対応する前記増幅器の増幅率の差が、前記ボリウムレベル設定値の値が所定の値以下においては、特定の値になるように設定し、前記ボリウムレベル設定値の値が前記所定の値よりも大きい設定領域においては、前記ボリウムレベル設定値の増加方向に増加するように設定する設定３とのうち、いずれか１つの設定を選択して行い、
前記入力ステップにより入力されるアンプゲインに対応する前記ボリウムレベル設定値に基づいて前記増幅器の増幅率を設定し、
周囲の騒音環境に基づいて、ボリウムレベルに拠らず一律の音量だけ増減し、
前記ボリウムレベル設定値それぞれに対応する音圧値を、従来のボリウムレベル設定値それぞれに対して一定差で設定されていた音圧値よりも小さく設定し、消費電力の低減を実現する
携帯端末装置の音量設定方法。
【請求項９】
請求項５から８のいずれか１項に記載の携帯端末装置の音量設定方法を実現するための、コンピュータ読み込み可能な携帯端末装置の音量設定プログラム。
【発明の詳細な説明】
【技術分野】
【０００１】
本発明は、音声信号に基づいて音声出力部から当該音声信号に対応する音声を出力する携帯端末装置であって、特に、当該携帯端末装置に備えられる離散化された複数のボリウム設定値それぞれに、実際の人間の聴感音量として等差となる音響強度（音圧）値を対応させることにより、ボリウム設定値を順次切替えた時に、音声出力部から出力される音声の聴感音量が等差で増減する携帯端末装置に関する。
【背景技術】
【０００２】
携帯電話等の携帯端末装置における音声の音量設定では、ソフトウェアの設計容易性から、音声信号の信号強度を制御するアンプのゲイン差を一定にする方法が一般的となっている。しかし、人間の聴感音量の変化は、このように一定差に設定されたアンプのゲインによる音響強度の変化に対して一致しない。このため、ボリウム設定値の操作を行う人は、離散して配列されているボリウム設定値を順次切替えた時に、音声出力部から出力される音声の聴感音量が順次等差で変化しないために違和感を感じることがあった。また、最大音量より小さい通常の音量設定領域においても、設定により実現される音声の音量が、実際の聴感音量よりも大きいために、実質的に携帯端末装置の消費電流が大きくなってしまうという不都合があった。
【０００３】
上記した技術に関連して、以下に示す提案がなされている。
【０００４】
実開昭６３−１３６４１８号公報に開示されている「ラウドネスコントロール回路」では、電圧制御型電子ボリュームと、低高域をブーストする電圧制御型電子トーンコントロールアンプを備え、音量と比例関係にある電圧制御型電子ボリュームの制御電圧を反転アンプの制御電圧を介してトーンコントロールアンプの制御電圧を制御することによりボリュームの回転角に応じて小音量のときは補正量を大きくし、大音量に従って補正量を減少させ、所定のボリューム回転角に達すると補正しなくなるようにしたラウドネスコントロール回路が提案されている。
【０００５】
また、特開昭６３−２８６０１４号公報に開示されている「オーディオアンプの聴感補正回路」では、音楽信号の低域成分のみを取り出すローパスフィルタと、増幅器と、減衰器とを任意の順序で直列接続し、この出力である低域信号と元の音楽信号を加算する加算器とを備え、減衰器を、元の音楽信号の再生出力を調整する音量ボリュームがセンター位置では減衰量を大きく、音量ボリュームが最小付近の位置では減衰量を小さくなるように逆連動させたオーディオアンプの聴感補正回路が提案されている。
【０００６】
また、特開平０５−０４８４８９号公報に開示されている「電話装置」では、受話音声信号及び着呼信号のレベルを設定するレベル設定手段と、着呼信号の到来を検知する着呼検知手段とを備え、着呼検知手段は、着呼信号を検知したとき、レベル設定手段に着呼信号のレベルを増大せしめる制御信号を発する電話装置が提案されている。
【０００７】
また、特開平０７−０９９４１７号公報に開示されている「自動音量制御装置」では、周囲騒音の対数レベル検出手段と、音声信号の対数レベル検出手段と、この周囲騒音対数レベルから音声信号対数レベルを減ずる減算手段と、音声信号に対する係数乗算手段と、この乗算係数をの減算手段出力より計算する利得計算手段を備えるものであり、この利得計算手段が、指数計算手段、定数加算手段、べき乗計算手段を備えて構成される自動音量制御装置が提案されている。
【０００８】
また、特開平０８−１３９５３９号公報に開示されている「無線通信装置における自動音量調整装置」では、受信した音声信号のレベルが標準値以上であるか否かを判別する判別手段と、判別手段による判別結果に基づいて、音声信号のレベルが標準値より小さくなると、音声信号が伝達される信号系のゲインを徐々に増加させるゲイン制御手段とを備える無線通信装置における自動音量調整装置が提案されている。
【０００９】
また、特開平１０−１１２７４３号公報に開示されている「携帯電話装置」では、本体を片手に保持しその受話口を耳にあてることで送話口が口もと近傍に位置して通話が行える筐体形状の、受話音量調節機構を有する携帯電話装置において、会話を行うために本体を片手に保持した状態で当該手の指で操作が可能な筐体位置に、受話音量調節ボタンを設ける手段、受話音量調節ボタンが操作されて受話音量レベルが調節された場合、受話口からの確認音で調節された受話音量レベルを操作者に通知する手段を備えた携帯電話装置が提案されている。
【００１０】
また、特開平１１−０１４４４２号公報に開示されている「鳴音音量検査装置」では、音圧測定用に規定された基準ボックスの大きさの数分の１の大きさであって、鳴音音量の測定対象となる電子機器が装着される音量測定用ボックスと、音量測定用ボックスの内部に設けられたマイクロホンと、マイクロホンの出力信号に基づいて鳴音音量に対応した直流電圧信号を生成して出力する音量−電圧変換部と、音量−電圧変換部から出力される直流電圧信号の電圧を予め設定した複数のしきい値電圧と比較し、その比較結果に基づいて鳴音音量が所定の範囲にあることを判定する判定部とを備えた鳴音音量検査装置が提案されている。
【００１１】
【特許文献１】実開昭６３−１３６４１８号公報
【特許文献２】特開昭６３−２８６０１４号公報
【特許文献３】特開平０５−０４８４８９号公報
【特許文献４】特開平０７−０９９４１７号公報
【特許文献５】特開平０８−１３９５３９号公報
【特許文献６】特開平１０−１１２７４３号公報
【特許文献７】特開平１１−０１４４４２号公報
【発明の開示】
【発明が解決しようとする課題】
【００１２】
本発明の目的は、携帯端末装置に備えられる離散化された複数のボリウム設定値を順次切替えた時に、音声出力部から出力される音声の聴感音量が等差で増減し、人間の聴覚に対して自然な音量増減を実現する携帯端末装置を提供することである。
【課題を解決するための手段】
【００１３】
以下に、［発明を実施するための最良の形態］で使用する括弧付き符号を用いて、課題を解決するための手段を説明する。これらの符号は、［特許請求の範囲］の記載と［発明を実施するための最良の形態］の記載との対応関係を明らかにするために付加されたものであるが、［特許請求の範囲］に記載されている発明の技術的範囲の解釈に用いてはならない。
【００１４】
本発明の携帯端末装置（１００）は、筐体（１２）と、筐体に設置されて、ボリウムレベル設定値を入力するための入力部（８）と、筐体に格納されて、音声信号を増幅するための増幅器（２）と、入力部から入力されるボリウムレベル設定値に基づいて、増幅器の増幅率を、人間の聴感音量の変化に対応する増幅率となるように設定する制御部（９）と、制御部により設定された増幅率で増幅器が増幅した音声信号を出力するための出力部（１）とを備える。
【００１５】
また、本発明の携帯端末装置（１００）において、ボリウムレベル設定値は連続した離散値として設定され、制御部（９）は、隣接するボリウムレベル設定値それぞれに対応する増幅器（２）の増幅率の差が、ボリウムレベル設定値の値が所定の値以下においては、ボリウムレベル設定値の増加方向に増加するように設定し、ボリウムレベル設定値の値が所定の値よりも大きい設定領域においては、特定の値になるように設定する。
【００１６】
また、本発明の携帯端末装置（１００）において、ボリウムレベル設定値は連続した離散値として設定され、制御部（９）は、隣接するボリウムレベル設定値それぞれに対応する増幅器（２）の増幅率の差が、ボリウムレベル設定値の値が所定の値以下においては、第一特定値になるように設定し、ボリウムレベル設定値の値が所定の値よりも大きい設定領域においては、第一特定値よりも大きい第二特定値に設定する。
【００１７】
また、本発明の携帯端末装置（１００）において、ボリウムレベル設定値は連続した離散値として設定され、制御部（９）は、隣接するボリウムレベル設定値それぞれに対応する増幅器（２）の増幅率の差が、ボリウムレベル設定値の値が所定の値以下においては、特定の値になるように設定し、ボリウムレベル設定値の値が所定の値よりも大きい設定領域においては、ボリウムレベル設定値の増加方向に増加するように設定する。
【００１８】
また、本発明の携帯端末装置（１００）において、制御部（９）は、入力部（８）からの指示に基づいて、隣接するボリウムレベル設定値それぞれに対応する増幅器（２）の増幅率の差が、ボリウムレベル設定値の値が所定の値以下においては、ボリウムレベル設定値の増加方向に増加するように設定し、ボリウムレベル設定値の値が所定の値よりも大きい設定領域においては、特定の値になるように設定する設定１と、隣接するボリウムレベル設定値それぞれに対応する増幅器の増幅率の差が、ボリウムレベル設定値の値が所定の値以下においては、第一特定値になるように設定し、ボリウムレベル設定値の値が所定の値よりも大きい設定領域においては、第一特定値よりも大きい第二特定値に設定する設定２と、隣接するボリウムレベル設定値それぞれに対応する増幅器の増幅率の差が、ボリウムレベル設定値の値が所定の値以下においては、特定の値になるように設定し、ボリウムレベル設定値の値が所定の値よりも大きい設定領域においては、ボリウムレベル設定値の増加方向に増加するように設定する設定３とのうち、いずれか１つの設定を選択して行う。
【００１９】
また、本発明の携帯端末装置（１００）において、制御部（９）は、入力部（８）からの指示に基づいて、ボリウムレベル設定値それぞれに対応する増幅器（２）の増幅率に、さらに所定の増幅率を加算する。
【００２０】
また、本発明の携帯端末装置の音量設定方法は、ボリウムレベル設定値を入力する入力ステップと、入力ステップにより入力されるボリウムレベル設定値に基づいて、増幅器の増幅率を、人間の聴感音量の変化に対応する増幅率となるように設定する制御ステップとを有する。
【００２１】
また、本発明の携帯端末装置の音量設定方法において、ボリウムレベル設定値は連続した離散値として設定され、制御ステップは、隣接するボリウムレベル設定値それぞれに対応する増幅器（２）の増幅率の差が、ボリウムレベル設定値の値が所定の値以下においては、ボリウムレベル設定値の増加方向に増加するように設定し、ボリウムレベル設定値の値が所定の値よりも大きい設定領域においては、特定の値になるように設定する。
【００２２】
また、本発明の携帯端末装置の音量設定方法において、ボリウムレベル設定値は連続した離散値として設定され、制御ステップは、隣接するボリウムレベル設定値それぞれに対応する増幅器（２）の増幅率の差が、ボリウムレベル設定値の値が所定の値以下においては、第一特定値になるように設定し、ボリウムレベル設定値の値が所定の値よりも大きい設定領域においては、第一特定値よりも大きい第二特定値に設定する。
【００２３】
また、本発明の携帯端末装置の音量設定方法において、ボリウムレベル設定値は連続した離散値として設定され、制御ステップは、隣接するボリウムレベル設定値それぞれに対応する増幅器（２）の増幅率の差が、ボリウムレベル設定値の値が所定の値以下においては、特定の値になるように設定し、ボリウムレベル設定値の値が所定の値よりも大きい設定領域においては、ボリウムレベル設定値の増加方向に増加するように設定する。
【００２４】
また、本発明の携帯端末装置の音量設定方法において、制御ステップは、入力ステップにより入力される音量設定選択値に基づいて、隣接するボリウムレベル設定値それぞれに対応する増幅器（２）の増幅率の差が、ボリウムレベル設定値の値が所定の値以下においては、ボリウムレベル設定値の増加方向に増加するように設定し、ボリウムレベル設定値の値が所定の値よりも大きい設定領域においては、特定の値になるように設定する設定１と、隣接するボリウムレベル設定値それぞれに対応する増幅器の増幅率の差が、ボリウムレベル設定値の値が所定の値以下においては、第一特定値になるように設定し、ボリウムレベル設定値の値が所定の値よりも大きい設定領域においては、第一特定値よりも大きい第二特定値に設定する設定２と、隣接するボリウムレベル設定値それぞれに対応する増幅器の増幅率の差が、ボリウムレベル設定値の値が所定の値以下においては、特定の値になるように設定し、ボリウムレベル設定値の値が所定の値よりも大きい設定領域においては、ボリウムレベル設定値の増加方向に増加するように設定する設定３とのうち、いずれか１つの設定を選択して行う。
【００２５】
また、本発明の携帯端末装置の音量設定方法において、制御ステップは、入力ステップにより入力される任意のアンプゲインに基づいて、ボリウムレベル設定値それぞれに対応する増幅器の増幅率に、さらに所定の増幅率を加算する。
【００２６】
また、本発明の携帯端末装置の音量設定プログラムは、コンピュータ読み込み可能であり、請求項７から１２までに記載の携帯端末装置（１００）の音量設定方法を実現する。
【発明の効果】
【００２７】
本発明により、入力部からの操作によりボリウム設定値を順次切替えた時に、音声出力部から出力される音声の聴感音量が等差で増減する携帯端末装置を提供することができる。これにより、ボリウム設定値を順次切替えた時に、人間の聴覚に対して自然な音量増減が実現される。
【００２８】
また、各ボリウム設定値に対応する音響強度（音圧）値は、それぞれ従来の等差的に対応していた音響強度（音圧）値の各々よりも低い値に設定されるため、消費電力の低減が実現される。
【発明を実施するための最良の形態】
【００２９】
添付図面を参照して、本発明による携帯端末装置、携帯端末装置の音量設定方法を実施するための最良の形態を以下に説明する。
【００３０】
本発明は、携帯端末装置に備えられる離散化された複数のボリウム設定値（自然数でも良い、アルファベットでも良い、順序を示す記号であれば、どの様なものでも良い）それぞれに、実際の人間の聴感音量として等差となる音響強度（音圧）値を各々対応させることにより、ボリウム設定値を順次切替えた時に、音声出力部から出力される音声の聴感音量が等差で増減する携帯端末装置、携帯端末装置の音量設定方法である。
【００３１】
本発明においては、離散化された複数のボリウム設定値のうち、隣接するボリウム設定値それぞれに対応する音響強度の対数値（ｄＢ値）の差が、（１）所定のボリウム設定値までは第一特定値に設定され、所定のボリウム設定値以上では上記特定値よりも大きい第二特定値に設定される、（２）また、ボリウム設定値の小さい方から、隣接するボリウム設定値に対応する音響強度の対数値（ｄＢ値）の差を徐々に増加させて設定、あるいは、特定値に設定される、（３）また、所定のボリウム設定値まで、隣接するボリウム設定値に対応する音響強度の対数値（ｄＢ値）の差が特定値に設定され、所定のボリウム設定値以上では徐々に増加させて設定される。これにより、ボリウム設定値を順次切替えることにより、人間の聴覚に対して自然な音量増減が実現される。
【００３２】
（実施の形態１）
本発明の実施の形態１に係わる携帯端末装置の概略構成を図１に示す。本実施の形態の携帯端末装置１００は、図示せぬ無線基地局との間で通信を行うためのアンテナ１０と、アンテナ１０で受信した音声データを含む回線制御無線信号を増幅する無線部４と、無線部４で増幅された回線制御無線信号を復調する復調回路３と、入力部８からの指示に基づいて制御部９から送信される制御信号により、復調された回線制御無線信号を任意の信号強度にまで増幅する可変増幅回路２と、任意の信号強度にまで増幅された回線制御無線信号の音声データを音声に変換するスピーカ１とを備えている。入力部８から入力される音量設定レベル等の指示に基づく反映結果は、制御部９を介して表示部１１に表示される。
【００３３】
また、本実施の形態の携帯端末装置１００は、通話者の音声を電気信号に変換させるマイク７と、入力部８からの指示に基づいて制御部９から送信される制御信号により当該電気信号を任意の信号強度にまで増幅する増幅回路６と、増幅回路６により増幅された電気信号を無線信号に変換させる変調回路５と、当該無線信号を更に増幅する上記無線部４と、増幅された無線信号を図示せぬ無線基地局に送信する上記アンテナ７とを備えている。
【００３４】
本実施の形態の携帯端末装置１００を携帯電話に適用した外観を図２に示す。表示部１１は、液晶パネルであり、入力部８からの操作入力の結果を表示したり、図示せぬ基地局との通信状況を表示するものである。筐体１２は、携帯端末装置１００の回路全体を収めるもので、電子回路部品を搭載した基板を収容している。また、スピーカ１、マイク７、およびアンテナ１０は、図２においては筐体１２上における標準的な設置箇所が示されているが、携帯端末装置の用途に応じて適宜最適な箇所に設置される。
【００３５】
また、本実施の形態における入力操作は、入力部８を介してのみでなく、マイク７を介した音声入力も適用可能である。
【００３６】
（実施の形態１の動作原理） 
以下に、本実施の形態の特徴である、スピーカ１から出力される音声のボリウム設定の制御動作について詳細に説明する。
【００３７】
人が感じる聴感音量は、図３の音圧（Ｐｈｏｎｅ）と聴感音量（ｓｏｎｅ）との関係に示すように、物理的な音響強度（音圧）に対して、概略対数的な相関関係を有している。図３では、聴感音量１を基準にして、音響強度（音圧）が、１０は１０倍、０．１は１／１０倍に聴こえる音圧を図示している。図３によれば、聴感音量１を超えるところでは音圧の変化量（傾き）を大きくとる方が人の聴覚的な感覚量に適合し、聴感音量１を下回るところでは音圧の変化（傾き）は少ない方が人の聴覚的な感覚量に適合していることが判る。
【００３８】
図４に、本実施の形態における、聴感音量に対応するボリウムレベル設定値と、音圧に対応する可変増幅回路２のアンプゲインとの関係を示す。図４には、本実施の形態におけるボリウムレベル設定値それぞれに対する音圧の関係（設定値１による曲線）の他に、参考として、従来のボリウムレベル設定値それぞれに対する音圧の関係（設定値２による直線）も合わせて示してある。
【００３９】
従来のボリウムレベル設定値それぞれに対する音圧の関係では、ボリウムレベル設定値に対して、音圧に対応する可変増幅回路２のアンプゲインが対数的に等差になるように設定されていた。このため、従来の設定値２の直線に沿ってアンプゲインを変化させようとすると、図３における聴感音量１からはなれた音量領域に対応するボリウムレベル設定値において、人間の聴覚にとって不自然な音量の変化が生じる。
【００４０】
これに対して、本実施の形態において設定される設定値１の曲線に沿ってアンプゲインを変化させると、聴感音量１からはなれた音量に対応するボリウムレベル設定値においても、正確に図３に示されている聴感音量に沿うような音圧の変化を再現することが出来、広範囲なボリウムレベル設定値において人間の聴覚にとって自然な音量の変化が実現される。
【００４１】
本実施の形態における形態端末装置１００が携帯電話に適用される場合には、図２の装置外観の入力部８にある押しボタンを操作することにより、ボリウムレベル設定値が、1、２、３、４、．．．のように数字表示で任意に設定される。携帯電話の使用者は、押しボタンによるボリウムレベル設定値の変更により、感覚的に同等量の音声変化を期待する。つまり、ボリウムレベル設定値それぞれが、図４に示される設定値１の曲線に基づくアンプゲインの値に対応していれば良い。
【００４２】
図５に、図４に示される設定値１の曲線に基づく、ボリウムレベル設定値とアンプゲインとの数値対応表を示す。図５には、参照のために、従来の図４に示される設定値２の曲線に基づく、ボリウムレベル設定値とアンプゲインとの関係も合わせて示している。図５を見て判るように、従来の設定においては、ボリウムレベル設定値が１増えるに連れて、アンプゲインは対数的に等差（例では２０ｄＢ）増加するように割り当てられている。これに対して本実施の形態においては、全体の音量レンジを１００ｄＢとした場合、隣接するボリウム設定値それぞれに対応するアンプゲインの値の差を、ボリウムレベル設定値４よりも大きい領域では３０ｄＢで等差に、ボリウムレベル設定値４以下では、ボリウムレベル設定値１から順次５ｄＢ、１５ｄＢ、２０ｄＢと徐々に増加するように設定している。本実施の形態においては、隣接するボリウム設定値それぞれに対応するアンプゲインの値の差を上記の値に設定しているが、アンプゲインの値については、詳細に上記された値に限定されず、ボリウムレベル設定値４を中心として、それぞれのボリウムレベル設定値に対応するアンプゲインの設定値は、図４の設定値１の曲線に概略沿った値に設定すれば良い。
【００４３】
上記したボリウムレベル設定値の設定は、本実施の形態に係わる形態端末装置１００が起動すると、制御部９において、図示せぬＣＰＵが、図示せぬ記憶部に予め備えられるボリウムレベル設定値制御プラグラムを読み込んで実行する。これにより、入力部８からボリウムレベル設定値が順次数値入力されると、制御部９の図示せぬＣＰＵは、さらに図示せぬ記憶部に予め備えられている図５に示される表を参照して、当該ボリウムレベル設定値に対応するアンプゲインの値になるように可変増幅回路２の増幅率を設定する。また、制御部９における音声のボリウムレベル設定値の制御が実行されると、設定された音声のボリウムレベル設定値は、図６（図６はボリウムレベル４を設定している）に示されるように表示部１１に表示されて使用者が現在の音声のボリウムレベル設定値を認識することができる。
【００４４】
本実施の形態により、特定のボリウムレベル設定値まで、隣接ボリウムレベル設定値に対応する音響強度（音圧）差をアンプゲインの制御により相対的に小さく設定し、特定のボリウムレベル設定値より大きい設定領域においては、隣接ボリウムレベル設定値に対応する音響強度（音圧）差をアンプゲインの制御により相対的に大きく設定する。一般に、人間の音響強度差に対する感覚は、音響強度をボリウムレベル設定値に対応させて順次対数等差に配置するよりも、ボリウムレベル設定値の中間よりボリウムレベル設定値の大きな領域では、それぞれのボリウムレベル設定値に対応する音響強度差を大きく設定した方が実際の聴感音量の変化とのずれが少ないため、本実施の形態により、人の聴覚に自然に変化する音声の音量制御が可能となる。
【００４５】
また、本実施の形態の形態端末装置においては、図示せぬ記憶部に予め備えられるボリウムレベル設定値制御プラグラム、および図５に示される表の値を変更することにより、実際の携帯電話等による通話時に、携帯電話を使用している使用環境（電波状況）等、周囲の騒音環境に基づいて、スピーカ１からの発生される音量を、ボリウムレベルに拠らず一律の音量だけ増減させることも可能である。
【００４６】
さらに、本実施の形態では、ボリウムレベル設定値それぞれに対応する音圧値は、従来のボリウムレベル設定値それぞれに対して一定差で設定されていた音圧値よりも小さく設定される（図５参照）。例えば、本実施の形態におけるボリウムレベル設定値４においては、対応するアンプゲインが、従来の設定値である６０ｄＢに対して４０ｄＢとなる。これは電力で１００分の１、電流で１０分の１の削減となる効果があり、このため、本実施の形態においては、消費電力の低減が実現する。
【００４７】
（実施の形態２） 
本発明の実施の形態２に係わる携帯端末装置の基本的な概略構成および動作原理は、実施の形態１のそれぞれと同等である。但し、本実施の形態の携帯端末機器においては、図７に示すように（全体のアンプゲイン領域を２４ｄＢとした場合）、ボリウムレベル設定値が所定の値までは、対応するアンプゲイン設定値が第一特定値に設定され、所定の値以上では上記特定値よりも大きい第二特定値に設定される。
【００４８】
本実施の形態により、図３に示される聴感音量と音圧との関係を近似することが出来、人の聴覚にとって自然に変化する音声の音量制御が可能となる。
【００４９】
また、実施の形態１と同様、図示せぬ記憶部に予め備えられるボリウムレベル設定値制御プラグラム、および図７に示される表の値を変更することにより、実際の携帯電話等による通話時に、携帯電話を使用している使用環境（電波状況）等、周囲の騒音環境に基づいて、スピーカ１からの発生される音量を、ボリウムレベルに拠らず一律に増減させることも可能である。
【００５０】
さらに、本実施の形態においても、ボリウムレベル設定値それぞれに対応する音圧値は、従来のボリウムレベル設定値それぞれに対して一定差で設定されていた音圧値よりも小さく設定される。これにより、消費電力の低減が実現する。
【００５１】
（実施の形態３）
本発明の実施の形態３に係わる携帯端末装置の基本的な概略構成および動作原理は、実施の形態１のそれぞれと同等である。但し、本実施の形態の携帯端末機器においては、図８に示すように（全体のアンプゲイン領域を２１ｄＢとした場合）、所定のボリウム設定値まで、隣接するボリウム設定値それぞれに対応するアンプゲイン設定値の差が特定値に設定され、所定のボリウム設定値以上では徐々に増加させて設定される。
【００５２】
本実施の形態により、図３に示される聴感音量と音圧との関係を近似することが出来、人の聴覚にとって自然に変化する音声の音量制御が可能となる。
【００５３】
また、実施の形態１と同様、図示せぬ記憶部に予め備えられるボリウムレベル設定値制御プラグラム、および図８に示される表の値を変更することにより、実際の携帯電話等による通話時に、携帯電話を使用している使用環境（電波状況）等、周囲の騒音環境に基づいて、スピーカ１からの発生される音量を、ボリウムレベルに拠らず一律に増減させることも可能である。
【００５４】
さらに、本実施の形態においても、ボリウムレベル設定値それぞれに対応する音圧値は、従来のボリウムレベル設定値それぞれに対して一定差で設定されていた音圧値よりも小さく設定される。これにより、消費電力の低減が実現する。
【００５５】
また、本発明の携帯端末装置においては、図示せぬ記憶部に予め実施の形態１〜３に対応するボリウムレベル設定値制御プラグラム、および図５、図７、図８に示される対応表を備えることにより、入力部８からの選択によって、適宜実施の形態１から３までのうち１つの音量設定制御を実現することも可能である。
【００５６】
また、実施の形態１から３までにおいては、携帯電話を例として説明しているが、本発明の携帯端末装置の音量設定に係わるそれぞれの実施例は、携帯端末装置に限らず、パソコンやＰＡＤなど人間が音楽を再生して視聴する装置であれば全て適用することができる。
【図面の簡単な説明】
【００５７】
【図１】本発明の実施の形態に係わる携帯端末装置の概略構成を示す図である。
【図２】本発明の実施の形態に係わる携帯端末装置の外観形状を示す図である。
【図３】人が感じる聴感音量と、物理的な音響強度（音圧）との相関関係を示す図である。
【図４】実施の形態１の携帯端末装置における、ボリウムレベル設定値と、ボリウムレベル設定値それぞれに対応する音量増幅アンプのゲイン値との相関関係を示したものである。
【図５】図４に基づいて作成された、離散的な複数のボリウムレベル設定値と、ボリウムレベル設定値それぞれに対応する音量増幅アンプのゲイン値との対応表を示した図である。
【図６】本発明の実施の形態に係わる携帯端末装置の表示部におけるボリウムレベル設定値の表示例を示した図である。
【図７】実施の形態２における、離散的な複数のボリウムレベル設定値と、ボリウムレベル設定値それぞれに対応する音量増幅アンプのゲイン値との対応表の一例を示した図である。
【図８】実施の形態３における、離散的な複数のボリウムレベル設定値と、ボリウムレベル設定値それぞれに対応する音量増幅アンプのゲイン値との対応表の一例を示した図である。
【符号の説明】
【００５８】
１…スピーカ
２…可変増幅回路
３…復調回路
４…無線部
５…変調回路
６…増幅回路
７…マイク
８…入力部
９…制御部
１０…アンテナ
１００…携帯端末装置
【図１】
0005321870.tif 000002
【図２】
0005321870.tif 000003
【図３】
0005321870.tif 000004
【図４】
0005321870.tif 000005
【図５】
0005321870.tif 000006
【図６】
0005321870.tif 000007
【図７】
0005321870.tif 000008
【図８】
0005321870.tif 000009